(57)【要約】  【課題】１つのアクチュエータでリンク機構を作動させて、そのリンク機構によって複数の役物部材の斬新な動作を実現し、演出効果を高めることができる可動役物装置を有する遊技機を提供する。  【解決手段】可動役物装置５は、電動モータ１２の駆動力により第１役物部材７をベース部材１１に対して動作させるベース動作発生機構１５と、電動モータ１２の動力により駆動されて第２役物部材８を動作させる第１リンク機構１６を有する第１動作発生機構１７と、前記動力により第１リンク機構１６を介して駆動されて第２役物部材８の動作と連動させて第３役物部材９を動作させる第２動作発生機構１９と、連動連結部材２６を介して駆動されて第１役物部材７の動作と連動させて第４役物部材１０を動作させる第３動作発生機構２０とを備えた。【選択図】  図３
2012239822.tif 000002
【特許請求の範囲】
【請求項１】
第１役物部材と、この第１役物部材に対して移動自在に設けられた第２役物部材と、この第２役物部材に対して移動自在に設けられた第３役物部材と、少なくとも第２，第３役物部材を動作させる動力を発生するアクチュエータとを備えた可動役物装置を装備した遊技機において、
前記可動役物装置は、
前記動力により駆動されて第２役物部材を動作させる第１リンク機構を有する第１動作発生機構と、
前記動力により第１リンク機構を介して駆動されて第２役物部材の動作と連動させて第３役物部材を動作させる第２動作発生機構と、
を備えたことを特徴とする遊技機。
【請求項２】
前記第１役物部材がベース部材に移動自在に装着され、
前記可動役物装置は、
前記アクチュエータの駆動力により第１役物部材をベース部材に対して動作させるベース動作発生機構と、
前記第１役物部材の動作により第１リンク機構に駆動力を伝達する動力伝達機構とを備えたことを特徴とする請求項１に記載の遊技機。
【請求項３】
前記動力伝達機構は、第１リンク機構に一端部が連結され且つベース部材の案内部に他端部が案内された連動連結部材を有することを特徴とする請求項２に記載の遊技機。
【請求項４】
前記第２動作発生機構は、第１リンク機構に連動連結されて、前記動力を第１リンク機構から第３役物部材に伝達する第２リンク機構を有することを特徴とする請求項１〜３の何れか１項に記載の遊技機。
【請求項５】
前記第１〜第３役物部材に対して相対移動自在に設けられた第４役物部材と、
前記第１リンク機構を介して駆動されて第１〜第３役物部材の動作と連動させて第４役物部材を動作させる第３動作発生機構とを備えたことを特徴とする請求項１〜４の何れか１項に記載の遊技機。
【請求項６】
前記第１リンク機構は、互いに交差し且つその交差部において回動自在に第１軸部材で結合された１対の第１リンク部材と、これら１対の第１リンク部材に対応する１対の第２リンク部材であって、これら１対の第２リンク部材の一端部が１対の第１リンク部材の一端部に回動自在に１対の第２軸部材で結合され且つこれら１対の第２リンク部材の他端部が１対の第１リンク部材の他端部に１対の第２軸部材で結合され且つスライド自在に１対の第３軸部材で結合された１対の第２リンク部材とを有することを特徴とする請求項１〜５の何れか１項に記載の遊技機。
【請求項７】
前記第１役物部材に前記１対の第２軸部材の一方が設けられ、第２役物部材に前記第１軸部材が設けられ、第３役物部材に前記１対の第２軸部材の他方が設けられたことを特徴とする請求項６に記載の遊技機。
【発明の詳細な説明】
【技術分野】
【０００１】
本発明は、遊技機に関し、特に、複数の役物部材と、これら複数の役物部材を動作させる動力を発生するアクチュエータとを備えた可動役物装置に関するものである。
【背景技術】
【０００２】
従来から、遊技機としてのパチンコ遊技機においては、遊技盤の盤面の中央部に画像表示器が設けられ、画像表示器の画面前側近傍の演出領域内を移動可能な役物部材を有する可動役物装置が設けられている。この可動役物装置は、例えば、特別図柄の変動中の特定演出実行中に作動して、前記演出領域内で役物部材を可動させることで、大当り期待度を高めたり大当りを報知したりする演出等を行う。
【０００３】
特許文献１のパチンコ機においては、センタ飾り本体における演出表示装置の上側部分に可動役物装置が設けられ、この可動役物装置は、演出表示装置の表示画面の前側近傍の演出領域を昇降し得る照明パネルを有する照明ユニットと、この照明ユニットの背面側に配置され照明パネルを昇降作動させる昇降作動装置とを備えている。
【０００４】
前記昇降作動装置は、照明パネルを昇降移動し得るように支持する平行リンク機構と、平行リンク機構を介して照明パネルに昇降移動力を付与する駆動装置などを備えている。駆動装置は、電気モータと、電気モータの動力により平行リンク機構を作動させる作動バー部材とを備えている。
【０００５】
特許文献２のパチンコ遊技機においては、センタ役物の側部に可動役物装置が装備され、この可動役物装置は、画像表示装置の画面前側の演出領域内を移動するアーム部材と、アーム部材に支持された星形の装飾体と、モータからの駆動力をアーム部材に伝達してアーム部材を左右方向に揺動させるリンク機構とを備えている。
【先行技術文献】
【特許文献】
【０００６】
【特許文献１】特開２００６−２２３６５９号公報
【特許文献２】特開２００９−１９５３４１号公報
【発明の概要】
【発明が解決しようとする課題】
【０００７】
特許文献１，２の可動役物装置のリンク機構は、役物部材を一定の方向に単純動作させるだけの機構であるため、役物部材に複数の動作を実行させることができない。そのため、役物部材の動作に斬新性やインパクトがないから、遊技の進行中に遊技者の注意を役物の動作に引きつけるという点で課題があり、可動役物による演出効果を高めるのに限界がある。
【０００８】
本発明の目的は、１つのアクチュエータでリンク機構を作動させて、そのリンク機構によって複数の役物部材の斬新な動作を実現し、演出効果を高めることができる可動役物装置を有する遊技機を提供することである。
【課題を解決するための手段】
【０００９】
本願発明は以下の構成を有するものである。尚、参照符号は、本願発明の理解促進の為に図面に図示した構成要素との対応関係の一例を示したものであり、本願発明の技術的範囲を限定するものではない。
請求項１の遊技機は、第１役物部材(7,42)と、この第１役物部材(7,42)に対して移動自在に設けられた第２役物部材(8,43)と、この第２役物部材(8,43)に対して移動自在に設けられた第３役物部材(9,44)と、少なくとも第２，第３役物部材(8,43、9,44)を動作させる動力を発生するアクチュエータ(12,48)とを備えた可動役物装置(5,40)を装備した遊技機(1)において、前記可動役物装置(5,40)は、前記動力により駆動されて第２役物部材(8,43)を動作させる第１リンク機構(16,51)を有する第１動作発生機構(17,52)と、前記動力により第１リンク機構(16,51)を介して駆動されて第２役物部材(8,43)の動作と連動させて第３役物部材(9,44)を動作させる第２動作発生機構(19,53)とを備えたことを特徴としている。
【００１０】
請求項２の遊技機は、請求項１において、前記第１役物部材(7,42)がベース部材(11,47)に移動自在に装着され、前記可動役物装置(5,40)は、前記アクチュエータ(12,48)の駆動力により第１役物部材(7,42)をベース部材(11,47)に対して動作させるベース動作発生機構(15,50)と、前記第１役物部材(7,42)の動作により第１リンク機構(16,51)に駆動力を伝達する動力伝達機構(18,72)とを備えたことを特徴としている。
【００１１】
請求項３の遊技機は、請求項２において、前記動力伝達機構(18)は、第１リンク機構(16,51)に一端部が連結され且つベース部材(11,47)の案内部(29,49c)に他端部が案内された連動連結部材(26,73)を有することを特徴としている。
【００１２】
請求項４の遊技機は、請求項１〜３の何れか１項において、前記第２動作発生機構(53)は、第１リンク機構(51)に連動連結されて、前記動力を第１リンク機構(51)から第３役物部材(44)に伝達する第２リンク機構(65)を有することを特徴としている。
【００１３】
請求項５の遊技機は、請求項１〜４の何れか１項において、前記可動役物装置(40)は、前記第１〜第３役物部材(42,43,44)に対して相対移動自在に設けられた第４役物部材(45)と、前記第１リンク機構(51)を介して駆動されて第１〜第３役物部材(42,43,44)の動作と連動させて第４役物部材(45)を動作させる第３動作発生機構(54)とを備えたことを特徴としている。
【００１４】
請求項６の遊技機は、請求項１〜５の何れか１項において、前記第１リンク機構(51)は、互いに交差し且つその交差部(51a)において回動自在に第１軸部材(62)で結合された１対の第１リンク部材(60a,60b)と、これら１対の第１リンク部材(60a,60b)に対応する１対の第２リンク部材(61a,61b)であって、これら１対の第２リンク部材(61a,61b)の一端部が１対の第１リンク部材(60a,60b)の一端部に回動自在に１対の第２軸部材(63a,63b)で結合され且つこれら１対の第２リンク部材(61a,61b)の他端部が１対の第１リンク部材(60a,60b)の他端部に回動自在に且つスライド自在に１対の第３軸部材(64a,64b)で結合された１対の第２リンク部材(61a,61b)とを有することを特徴としている。
【００１５】
請求項７の遊技機は、請求項６において、前記第１役物部材(42)に前記１対の第２軸部材(63a,63b)の一方が設けられ、第２役物部材(43)に前記第１軸部材(62)が設けられ、第３役物部材(44)に前記１対の第２軸部材(63a,63b)の他方が設けられたことを特徴としている。
【発明の効果】
【００１６】
本発明の遊技機によれば、可動役物装置において、第１動作発生機構がアクチュエータの動力により駆動されて第１リンク機構を作動させ、この第１リンク機構により第２役物部材を動作させ、第２動作発生機構が前記動力により第１リンク機構を介して駆動されて第３役物部材を第２役物部材の動作と連動して動作させるので、複数の役物部材の斬新で且つインパクトのある動作を実現して演出効果を高めることができる。
【図面の簡単な説明】
【００１７】
【図１】本発明の実施例に係る可動役物装置（可動役物が待機位置）を装備した遊技盤の正面図である。
【図２】可動役物装置（可動役物が突出位置）を装備した遊技盤の正面図である。
【図３】実施例１の可動役物が待機位置の状態を示す可動役物装置の背面図である。
【図４】図３の可動役物が突出位置の状態を示す可動役物装置の背面図である。
【図５】実施例２の可動役物が待機位置の状態を示す可動役物装置の背面図である。
【図６】図５の可動役物が突出位置の状態を示す可動役物装置の背面図である。
【発明を実施するための形態】
【００１８】
以下、本発明を実施するための形態について実施例に基づいて説明する。
【実施例１】
【００１９】
図１、図２に示すように、遊技機としてのパチンコ遊技機１には遊技盤２が設けられ、この遊技盤２とその前側の透明板（図示略）との間に、球発射部（図示略）で発射された遊技球がガイドレール２ｇにより導入される遊技領域２ａが形成されている。遊技盤２には遊技領域２ａに配置された多数の障害釘（図示略）や各種入賞口（始動口２ｂ，２ｃ、ゲート２ｄ、大入賞口２ｅ、一般入賞口２ｆ等）を形成する種々の遊技部品が取り付けられている。遊技球が始動口２ｂ，２ｃに入賞した場合、大当り抽選が行われ、その大当り抽選で当選した場合、大当りとなって通常は閉塞の大入賞口２ｅが開放される。
【００２０】
遊技盤２にはセンタ役物３が取付けられ、このセンタ役物３に遊技演出用の画像表示器４及び本案特有の可動役物装置５が装備されている。センタ役物３は、遊技盤２の前面よりも前方へ張り出す枠部材であり、遊技領域２ａの半分以上を占めるサイズで枠状に形成され、遊技盤２に形成された盤穴（図示略）に嵌合した状態で装着されている。画像表示器４は、その画面がセンタ役物３の内側領域に臨むように、センタ役物３に後側から装着されている。
【００２１】
画像表示器４には、始動口２ｂ，２ｃへの遊技球の入賞に基づいて行われる大当抽選を演出するために、複数の演出図柄が変動後停止するように表示されるとともに各種動画が表示され、また、大当り中にも大当り演出用の各種動画が表示される。
【００２２】
可動役物装置５は、センタ役物３の左部に装着され、例えば、大当り抽選に関する報知（例えば、大当り抽選での当選、或いは当選期待度が高い旨の報知）を行うために作動して、可動役物６を、図１に示す待機位置と図２に示す突出位置とに亙って進退移動させる。可動役物装置５の非作動時に、可動役物６は、画像表示器４による表示の邪魔にならない待機位置に位置し、可動役物装置５の作動時に、可動役物６は、画像表示器４の表示画面の前側近傍の演出領域内に進退移動する。
【００２３】
次に、可動役物装置５について詳しく説明する。
図３、図４に示すように、可動役物装置５は、複数の役物部材７〜１０を有する可動役物６と、可動役物６が前記待機位置と突出位置とに亙って移動可能に装着されたベース部材１１と、複数の役物部材７〜１０を動作させる動力を発生する共通の駆動源となる１つの電動モータ１２を有する。
【００２４】
可動役物６は、龍を模した形状で構成され、ベース部材１１に移動自在に装着された龍の胴体部を形成する第１役物部材７と、この第１役物部材７に対して移動自在に設けられた龍の上顎部を含む頭部を形成する第２役物部材８と、第１,第２役物部材７,８に対して移動自在に設けられた龍の下顎部を形成する第３役物部材９と、第１〜第３役物部材７〜９に対して移動自在に設けられた龍の手部を形成する第４役物部材１０とを備えている。可動役物６において、第１役物部材７の左端部分がベース部材１１の前面側に配置されている。
【００２５】
ベース部材１１は縦長の略矩形の薄板状に形成され、センタ役物３の左部後面側において板面を前後方向に向けて配置されて、センタ役物３に固定されている。ベース部材１１の下端部には第１ガイド溝１３が形成されている。この第１ガイド溝１３は、右方（前記演出領域側）へ行くほど下方へ移行する緩傾斜状に且つ略直線状に形成されている。第１ガイド溝１３には、第１役物部材７の左端下部に後方突出状に一体的に設けられた作動ピン７ａが摺動自在に係合されている。
【００２６】
ベース部材１１の中央近傍部には第２ガイド溝１４が形成されている。この第２ガイド溝１４は、右方へ行くほど下方へ移行する緩傾斜状に且つ略直線状に形成されている。この第２ガイド溝１４は、第１ガイド溝１３と略平行に且つ第１ガイド溝１３よりも少し右方へ突出するように形成されている。第２ガイド溝１４には、第１役物部材７の左端上部に後方突出状に一体的に設けられた作動ピン７ｂが摺動自在に係合されている。第１役物部材７は、複数の作動ピン７ａ，７ｂを介して第１,第２ガイド溝１３，１４によりベース部材１１にガイド支持されている。
【００２７】
電動モータ１２は、ベース部材１１の後面の上端部分に前方へ向けて取り付けられ、その出力軸１２ａに固着された駆動ギヤ２１が、ベース部材１１と電動モータ１２の本体との間部分に回転可能に配設されている。
【００２８】
前記可動役物装置５は、電動モータ１２の駆動力により第１役物部材７をベース部材１１に対して動作させるベース動作発生機構１５と、電動モータ１２の動力により駆動されて第２役物部材８を動作させる第１リンク機構１６を有する第１動作発生機構１７と、第１役物部材７の動作により第１リンク機構１６に駆動力を伝達する動力伝達機構１８と、前記動力により第１リンク機構１６を介して第２役物部材８の動作と連動させて第３役物部材９を動作させる第２動作発生機構１９と、動力伝達機構１８を介して駆動されて第１役物部材７の動作と連動させて第４役物部材１０を動作させる第３動作発生機構２０とを備えている。
【００２９】
ベース動作発生機構１５は、前記駆動ギヤ２１と、電動モータ１２により駆動ギヤ２１を介して回動駆動されて第１役物部材７に駆動力を伝達する駆動力伝達部材２２とを備えている。駆動力伝達部材２２は、ベース部材１１の後面側に配置されて前後方向の回動軸２５を介してベース部材１１に支持され、駆動ギヤ２１に噛合する半円板状の従動ギヤ部２３と、この従動ギヤ部２３と一体形成され従動ギヤ部２３の中心から半径方向外側へ延びるレバー部２４とを備えている。
【００３０】
駆動力伝達部材２２のレバー部２４の先端部分には、その長さ方向に延びる長穴２４ａが形成されている。この長穴２４ａには、前記第２ガイド溝１４に係合している第１役物部材７の作動ピン７ｂが摺動自在に係合されている。このように、第１役物部材７は、駆動力伝達部材２２に連動連結されている。
【００３１】
第１動作発生機構１７において、第１リンク機構１６は、駆動リンク部材１６ａと、従動リンク部材１６ｂと、駆動リンク部材１６ａの上端部と従動リンク部材１６ｂの左端部を回動自在に結合する連結ピン１６ｃを有する。
【００３２】
駆動リンク部材１６ａはストレート状に延び、その下端部は、動力伝達機構１８の連動連結部材２６の右端部にピン２６ａを介して回動自在に連結されている。従動リンク部材１６ｂは、その左端部に第２動作発生機構１９の駆動ギヤ３３が一体形成され、この駆動ギヤ３３の軸部材３３ａを介して第１役物部材７に回動自在に連結されている。従動リンク部材１６ｂの右部は第２役物部材８に固定されている。
【００３３】
動力伝達機構１８は、ベース部材１１の前記第２ガイド溝１４よりも上側における略中央部に形成された第３ガイド溝（案内部）２９と、第１役物部材７の動作に連動して作動する連動連結部材２６と、連動連結部材２６を第１役物部材７に回動自在に支持する軸部材３０とを備えている。
【００３４】
第３ガイド溝２９は、右方へ行くほど下方へ移行する緩傾斜状に且つ直線状に形成されている。この第３ガイド溝２９の傾斜角度は、第１，第２ガイド溝１３，１４の傾斜角度よりも小さく設定されている。
【００３５】
連動連結部材２６は第１役物部材７の背面側に配設され、正面視にてへ字形に形成されている。この連動連結部材２６の屈曲部は、軸部材３０を介して第１役物部材７に回動自在に支持されている。連動連結部材２６の右端部は、ピン２６ａを介して駆動リンク部材１６ａの下端部に回動自在に連結されている。連動連結部材２６の左端部には、ベース部材１１の第３ガイド溝２９に摺動自在に係合する係合部材（コロ）３１が一体的に設けられている。つまり、連動連結部材２６の左端部は、その係合部材３１を介してベース部材１１の第３ガイド溝２９に移動自在に案内されている。
【００３６】
第２動作発生機構１９は、第１リンク機構１６に連動連結され、且つ電動モータ１２の動力を第１リンク機構１６を介して第３役物部材９に伝達するギヤ機構３２を有する。このギヤ機構３２は、従動リンク部材１６ｂに設けられた円形の前記駆動ギヤ３３と、この駆動ギヤ３３に噛合する円形の従動ギヤ３４を有する。
【００３７】
従動ギヤ３４は、軸部材３４ａを介して第１役物部材７に回転自在に支持されている。従動ギヤ３４には、その軸部材３４ａを中心として半径方向外側へ延びる役物支持部３５が一体形成され、この役物支持部３５が、第３役物部材９に固定されている。
【００３８】
第３動作発生機構２０は、動力伝達機構１８の連動連結部材２６に連動連結されたリンク部材３６を有する。このリンク部材３６は、その長さ方向途中部が屈曲し、その屈曲部分が回動軸３７を介して第１役物部材７に回動自在に支持されている。リンク部材３６の上端部には、リンク部材３６の上半部の長さ方向と略鉛直する方向へ延びる長穴３６ａが形成されている。この長穴２６ａには、連動連結部材２６に設けられたピン２６ｂが摺動自在に係合されている。リンク部材３６の下端部分は第４役物部材１０に固定されている。
【００３９】
以上説明した可動役物装置５の作用について説明する。
電動モータ１２が作動すると、駆動ギヤ２１を介して駆動力伝達部材２２（レバー部２４）が回動軸２５を中心に回転駆動され、その際、レバー部２４の長穴２４ａによってレバー部２４と第１役物部材７の作動ピン７ｂとの連結は維持される。
【００４０】
ここで、図３に示すように、可動役物６が待機位置のとき、第１役物部材７（胴体部）の左部がベース部材１１の前側に位置し、第１役物部材７の作動ピン７ａ，７ｂがベース部材１１の第１，第２ガイド溝１３，１４の左端部に夫々係合し、連動連結部材２６の係合部材３１がベース部材１１の第３ガイド溝２９の左端部に係合している。そして、第１役物部材７の右部が鉛直よりも右方へ傾いた姿勢になり、第２役物部材８（上顎部）と第２役物部材９（下顎部）が閉じ、第４役物部材１０（手部）が第１役物部材７に比較的接近した位置になる。
【００４１】
図３に示す状態から、レバー部２４が矢印ａ１方向へ回動されると、このレバー部２４により作動ピン７ｂが押動され第２ガイド溝１４に沿って移動するとともに、作動ピン７ａが第１ガイド溝１３に沿って移動する。これにより、第１役物部材７が多少下降しながら右方へ移動し、最終的に、図４に示すように、作動ピン７ａ，７ｂが第１，第２ガイド溝１３，１４の右端部に夫々係合し、第１役物部材７の右部が図３に示す状態よりも右方へ更に傾いた姿勢になる。
【００４２】
一方、図３に示す状態から、上記のように第１役物部材７が移動することで、係合部材３１が第３ガイド溝２９に沿って移動する。これにより、連動連結部材２６の軸部材３０に対する係合部材３１の高さ位置が徐々に高くなるため、連動連結部材２６が軸部材３０を中心に矢印ｂ１方向に回動する。すると、この連動連結部材２６により駆動リンク部材１６ａが引っ張られて矢印ｃ１方向に移動するため、従動リンク部材１６ｂが第２役物部材８と共に軸部材３３ａを中心に矢印ｄ１方向に回動し、また、ギヤ機構３２を介して役物支持部３５が第３役物部材９と共に軸部材３４ａを中心に矢印ｅ１方向に回動する。
【００４３】
更に、図３に示す状態から、上記のように第１役物部材７が移動し、連動連結部材２６が矢印ｂ１方向に回動することにより、リンク部材３６の回動軸３７に対する連動連結部材２６のピン２６ａの高さ位置が徐々に高くなるため、リンク部材３６が第４役物部材１０と共に回動軸３７を中心に矢印ｆ１方向に回動する。尚、その際、リンク部材３６の長穴３６ａによってリンク部材３６とピン２６ｂとの連結は維持される。
【００４４】
そして、最終的に、図４に示すように、第１役物部材７の大部分がベース部材１１よりも右方へ突出して、前記のように、第１役物部材７（胴体部）の右部が図３に示す状態よりも右方へ更に傾いた姿勢になるとともに、第２役物部材８（上顎部）と第３役物部材９（下顎部）が比較的大きく開き、第４役物部材１０（手部）が第１役物部材７から比較的離隔した位置になり、この状態で可動役物６が突出位置になる。
【００４５】
図４に示す状態から、レバー部２４が矢印ａ２方向に回動されると、前記とは逆に、第１役物部材７が移動するとともに、連動連結部材２６が矢印ｂ２方向に回動し、駆動リンク部材１６ａが矢印ｃ２方向に移動し、従動リンク部材１６ｂが第２役物部材８と共に矢印ｄ２方向に回動し、役物支持部３５が第３役物部材９と共に矢印ｅ２方向に回動し、リンク部材３６が第４役物部材１０と共に矢印ｆ２方向に回動して、最終的に、図３に示すように、可動役物６が待機位置に復帰する。
【００４６】
この可動役物装置５によれば次の効果を奏する。
１つの電動モータ１２の駆動力により第１役物部材７をベース部材１１に対して動作させるベース動作発生機構１５と、１つの電動モータ１２の動力により駆動されて第２役物部材８を動作させる第１リンク機構１６を有する第１動作発生機構１７と、前記動力により第１リンク機構１６を介して駆動されて第２役物部材８の動作と連動させて第３役物部材９を動作させるギヤ機構３２を有する第２動作発生機構１９とを備えたので、第１〜第３役物部材７〜９を夫々動作させて斬新で且つインパクトのある動作を実現して、演出効果を高めることができる。
【００４７】
更に、第１役物部材７に対して移動自在に設けられた第４役物部材１０と、連動連結部材２６を介して駆動されて第１役物部材７の動作と連動させて第４役物部材１０を動作させる第３動作発生機構２０とを備えたので、第４役物部材１０を動作させて、演出効果を一層高めることができる。
【００４８】
第１役物部材７の動作により第１リンク機構１６に駆動力を伝達する連動連結部材２６を有する動力伝達機構１８を備えたので、第１リンク機構１６を迅速且つ円滑に作動させることができる。故に、複数の役物部材８〜１０の夫々の動作を確実に実現すると共に、複数の役物部材８〜１０の動作をスムーズに行うことができる。
【００４９】
第１役物部材７がベース部材１１に移動自在に装着され、可動役物装置５は、電動モータ１２の駆動力により第１役物部材７をベース部材１１に対して動作させるベース動作発生機構１５を備えたので、可動役物６を待機位置と突出位置とに亙って確実に移動させることができる。
【００５０】
１つの電動モータ１２を共通の動力源として第１〜第４役物部材７〜１０を動作させるので、可動役物装置５を小型化できると共に、可動役物装置５の製作費を低減することができる。
【実施例２】
【００５１】
実施例２の可動役物装置４０について説明する。尚、この可動役物装置４０以外の構成は実施例１と同様である。
図５、図６に示すように、可動役物装置４０は、複数の役物部材４２〜４６を有する可動役物４１と、可動役物４１が図５（図１）の待機位置と図６（図２）の突出位置とに亙って移動可能に装着されたベース部材４７と、複数の役物部材４２〜４６に動作をさせる動力を発生する共通の駆動源となる１つの電動モータ４８を有する。
【００５２】
可動役物４１は、龍を模した形状で構成され、ベース部材４７に移動自在に装着された龍の胴体部を形成する第１役物部材４２と、この第１役物部材４２に対して移動自在に設けられた龍の首部を形成する第２役物部材４３と、この第２役物部材４３に対して移動自在に設けられた龍の上顎部を含む頭部を形成する第３役物部材４４と、第２，第３役物部材４３，４４に対して移動自在に設けられた龍の下顎部を形成する第４役物部材４５と、第１役物部材４２に対して移動自在に設けられた龍の手部を形成する第５役物部材４６とを備えている。可動役物４１において、第１役物部材４２の左端部分がベース部材４７の前面側に配置されている。
【００５３】
ベース部材４７は略台形の薄板状に形成され、センタ役物３の左部後面側において板面を前後方向に向けて配置されて、センタ役物３に固定されている。ベース部材４７の下端部には第１ガイド溝４９ａが形成されている。この第１ガイド溝４９ａは、右方（前記演出領域側）へ行くほど下方へ移行する緩傾斜状に且つ略直線状に形成されている。第１ガイド溝４９ａには、第１役物部材４２の左端下部に後方突出状に一体的に設けられた作動ピン４２ａが摺動自在に係合されている。
【００５４】
ベース部材４７の中央部よりも上部には第２ガイド溝４９ｂが形成されている。この第２ガイド溝４９ｂは、右方へ行くほど下方へ移行する緩傾斜状に且つ略直線状に形成されている。第２ガイド溝４９ｂの傾斜角度は、第１ガイド溝４９ａの傾斜角度よりも少し小さく設定されている。第２ガイド溝４９ｂには、第１役物部材４２の左端上部に後方突出状に一体的に設けられた作動ピン４２ｂが摺動自在に係合されている。第１役物部材４２は、複数の作動ピン４２ａ，４２ｂを介して第１，第２ガイド溝４９ａ，４９ｂによりベース部材４７にガイド支持されている。
【００５５】
電動モータ４８は、ベース部材４７の後面の第１ガイド溝４９ａと第２ガイド溝４９ｂとの間部分に前方へ向けて取り付けられ、その出力軸４８ａに固着された駆動ギヤ５６が、ベース部材４７と電動モータ４８の本体との間に回転可能に配設されている。
【００５６】
前記可動役物装置４０は、電動モータ４８の駆動力により第１役物部材４２をベース部材４７に対して動作させるベース動作発生機構５０と、第１役物部材４２が動作すること（即ち、電動モータ４８が発生する動力）により駆動されて第２役物部材４３を動作させる第１リンク機構５１を有する第１動作発生機構５２と、第１役物部材４２の動作により第１リンク機構５１に駆動力を伝達する動力伝達機構７２と、前記動力により第１リンク機構５１を介して第２役物部材４３の動作と連動させて第３役物部材４４を動作させる第２動作発生機構５３と、第１リンク機構５１を介して駆動されて第２，第３役物４３，４４の動作と連動させて第４役物部材４５を動作させる第３動作発生機構５４と、第１リンク機構５１を介して駆動されて第１役物部材４２の動作と連動させて第５役物部材４６を動作させる第４動作発生機構５５とを備えている。
【００５７】
ベース動作発生機構５０は、前記駆動ギヤ５６と、電動モータ４８により駆動ギヤ５６を介して回動駆動されて第１役物部材４２に駆動力を伝達する駆動力伝達部材５７とを備えている。駆動力伝達部材５７は、ベース部材４７の後面側に配設されて前後方向の回動軸５７ａを介してベース部材４７に支持され、駆動ギヤ５６に噛合する半円板状の従動ギヤ部５８と、この従動ギヤ部５８と一体形成され従動ギヤ部５８の中心から半径方向外側へ延びるレバー部５９とを備えている。
【００５８】
駆動力伝達部材５７のレバー部５９の先端部分には、その長さ方向に延びる長穴５９ａが形成されている。この長穴５９ａには、前記第２ガイド溝４９ｂに係合している第１役物部材４２の作動ピン４２ｂが摺動自在に係合されている。このように、第１役物部材４２は、駆動力伝達部材５７に連動連結されている。
【００５９】
第１動作発生機構５２において、第１リンク機構５１は、１対の第１リンク部材６０ａ，６０ｂと、これら１対の第１リンク部材６０ａ，６０ｂに対応する１対の第２リンク部材６１ａ，６１ｂと、第２役物部材４３の長さ方向途中部に後方突出状に一体的に設けられた第１軸部材６２と、第１，第３役物部材４２，４４に夫々後方突出状に一体的に設けられた１対の第２軸部材６３ａ，６３ｂとを有する。
【００６０】
第１リンク機構５１において、１対のリンク部材６０ａ，６０ｂは正面視にて互いに交差するように配設され、その交差部５１ａにおいて回動自在に第１軸部材６２で結合されている。１対の第２リンク部材６１ａ，６１ｂの一端部は、１対の第１リンク部材６０ａ，６０ｂの一端部に回動自在に１対の第２軸部材６３ａ，６３ｂで結合されている。
【００６１】
１対の第２リンク部材６１ａ，６１ｂの他端部は、１対の第１リンク部材６０ａ，６０ｂの他端部に回動自在に１対の第３軸部材６４ａ，６４ｂで結合されている。一端側の第１リンク部材６０ａの右端部分には、その長さ方向に延びる長穴６０ｃが形成されている。この長穴６０ｃには、前記第３軸部材６４ｂが摺動自在に係合されている。一端側の第２リンク部材６１ａの右端部分には、その長さ方向に延びる長穴６１ｃが形成されている。この長穴６１ｃには、前記第３軸部材６４ａが摺動自在に係合されている。このように、１対の第１リンク部材６０ａ，６０ｂの他端部と１対の第２リンク６１ａ，６１ｂの他端部は、スライド自在に長穴６０ｃ，６１ｃに係合している１対の第３軸部材６４ａ，６４ｂで結合されている。
【００６２】
動力伝達機構７２は、ベース部材４７の上端部分に形成された第３ガイド溝４９ｃ（案内部）と、第１役物部材４２の動作に連動して作動する連動連結部材７３を有する。第３ガイド溝４９ｃは、略水平に左右方向へ延びる直線状に形成されている。
【００６３】
連動連結部材７３はストレート状に形成されている。連動連結部材７３の右端部は、前記第２軸部材６３ａに回動自在に支持され、且つ第２リンク部材６１ａに一体的に結合されている。連動連結部材７３の左端部には、ベース部材４７の第３ガイド溝４９ｃに摺動自在に係合する係合部材（コロ）７４が一体的に設けられている。つまり、連動連結部材７３の左端部は、その係合部材７４を介して第３ガイド溝４９ｃに移動自在に案内されている。
【００６４】
第２動作発生機構５３は、第１リンク機構５１を主体に構成されると共に、第２，第３役物部材４３，４４を連結する第２リンク機構６５を有する。第２リンク機構６５は、１対のリンク部材６６ａ,６６ｂと、リンク部材６６ａの左端部とリンク部材６６ｂの上端部を回動自在に連結する連結ピン６６ｃを有する。
【００６５】
リンク部材６６ａの右端部は、第２軸部材６３ｂに回動自在に連結されている。リンク部材６６ｂの下端部は、第２役物部材４３に後方突出状に一体的に設けられた支持軸６７を介して第２役物部材４３に回動自在に連結されている。
【００６６】
第３動作発生機構５４は、第１リンク機構５１に連動連結され、且つ電動モータ４８の動力を第１リンク機構５１から第４役物部材４５に伝達する第３リンク機構６８を有する。第３リンク機構６８は、１対のリンク部材６９ａ,６９ｂと、リンク部材６９ａの右端部とリンク部材６９ｂの長さ方向途中部を回動自在に連結する回動軸６９ｃを有する。
【００６７】
リンク部材６９ａの左端部は、第２リンク部材６１ｄの長さ方向途中部に設けられた連結ピン６１ｄを介して回動自在に連結されている。リンク部材６９ｂの上端部が第３役物部材４４に支持軸４５ａを介して回動自在に支持され、リンク部材６９ｂの下端部が第４役物部材４５に固定されている。
【００６８】
第４動作発生機構５５は、第１リンク機構５１に連動連結され、且つ電動モータ４８の動力を第１リンク機構５１から第５役物部材４６に伝達する第４リンク機構７０を有する。ここで、第５役物部材４６の上端部が第１役物部材４２に回動自在に支持されている。第４リンク機構７０は、１対のリンク部材７１ａ,７１ｂと、リンク部材７１ａの下端部とリンク部材７１ｂの上端部を回動自在に結合する回動軸７１ｃを有する。
【００６９】
リンク部材７１ａの上端部は、第１リンク部材６０ａに設けられた連結ピン６０ｄに回動自在に連結されている。リンク部材７１ｂの下端部は、第５役物部材４６に設けられた支持軸４６ａに回動自在に結合されている。
【００７０】
以上説明した可動役物装置４０の作用について説明する。
電動モータ４８が作動すると、駆動ギヤ５６を介して駆動力伝達部材５７（レバー部５９）が回動軸５７ａを中心に回動駆動され、その際、レバー部５９の長穴５９ａによってレバー部５９と第１役物部材４２の作動ピン４２ｂとの連結は維持される。
【００７１】
ここで、図５に示すように、可動役物４１が待機位置のとき、第１役物部材４２（胴体部）の左部がベース部材４７の前側に位置し、第１役物部材４２の作動ピン４２ａ，４２ｂがベース部材４７の第１，第２ガイド溝４９ａ，４９ｂの左端部に夫々係合している。そして、第２役物部材４３（首部）が、第１役物部材４２の右端部から略上方へ延びた姿勢になり、第３役物部材４４（上顎部）と第４役物部材４５（下顎部）が閉じ、第５役物部材４６（手部）が第１役物部材４２に比較的接近した位置になる。
【００７２】
図５に示す状態から、レバー部５９が矢印ａ３方向へ回動されると、このレバー部５９により作動ピン４２ｂが押動され第２ガイド溝４９ｂに沿って移動するとともに、作動ピン４２ａが第１ガイド溝４９ａに沿って移動する。これにより、第１役物部材４２が下降しながら右方へ移動する。最終的に、図６に示すように、作動ピン４２ａ，４２ｂが第１，第２ガイド溝４９ａ，４９ｂの中央部まで移動するが、前記のように、第１，第２ガイド溝４９ａ，４９ｂの傾斜角度が異なるため、第１役物部材４２の左部が図５に示す状態よりも右方へ傾いた姿勢になる。
【００７３】
一方、図５に示す状態から、上記のように第１役物部材４２の移動に連動して、この第１役物部材４２に連結された第２〜第５役物部材４３〜４６も下降しながら右方へ移動する。その際、第１役物部材４２と一体的に移動する第２軸部材６３ａに対して、第３ガイド溝４９ｃで案内された係合部材７４の高さ位置が徐々に高くなるため、第１リンク部材６０ａが第２役物部材４３と共に第２軸部材６３ａを中心に矢印ｂ３方向へ回動する。
【００７４】
また、第１リンク部材６０ａが矢印ｂ３方向へ回動することにより、第３軸部材６４ａが長穴６１ｃをスライドしながら、第１リンク部材６０ｂが第３役物部材４４と共に第１軸部材６２を中心に矢印ｃ３方向へ回動する。その際、第３軸部材６４ｂも長穴６０ｃをスライドし、結局、第１リンク機構５１は、１対の第１リンク部材６０ａ，６０ｂ及び１対の第２リンク部材６１ａ，６１ｂが直線状に並ぶ方向へ作動する。
【００７５】
一方、１対の第１リンク部材６０ａ，６０ｂの上記作動により、第３，第４リンク機構６８，７０が作動して、第３リンク機構６８により第４役物部材４５が矢印ｅ３方向へ回動し、また、第４リンク機構７０により第５役物部材４６が矢印ｆ３方向へ回動する。そして、最終的に、図６に示すように、第１役物部材４２（胴体部）から右方へ第２役物部材（首部）４３と第３役物部材（頭部）４４が比較的伸び、第３役物部材（上顎部）４４と第４役物部材（下顎部）４５が開いた状態になり、また、第５役物部材（手部）４６が第１役物部材４２から少し離隔した状態なって、可動役物４１が突出位置になる。
【００７６】
図６に示す状態から、レバー部５９が矢印ａ４方向へ回動されると、前記とは逆に、第１役物部材４２が移動するとともに、第１リンク部材６０ａが第２役物部材４３と共に矢印ｂ４方向へ回動し、第１リンク部材６０ｂが第３役物部材４４と共にｃ４方向へ回動し、これにより、第４役物部材４５が矢印ｅ４方向へ回動し、第５役物部材４６が矢印ｆ４方向へ回動し、最終的に、図５に示すように、可動役物４４が待機位置に復帰する。
【００７７】
この可動役物装置４０によれば次の効果を奏する。
１つの電動モータ４８の駆動力により第１役物部材４２をベース部材４７に対して動作させるベース動作発生機構５０と、第１役物部材４２の動作により駆動されて第２役物部材４３を動作させる第１リンク機構５１を有する第１動作発生機構５２と、前記動力により第１リンク機構５１を介して第２役物部材４３の動作と連動させて第３役物部材４４を動作させる第２動作発生機構５３と、第１リンク機構５１を介して駆動されて第２，第３役物部材４３，４４の動作と連動させて第４役物部材４５を動作させる第３動作発生機構５４と、第１リンク機構５１を介して駆動されて第１〜４役物部材４２〜４５の動作と連動させて第５役物部材４６を動作させる第４動作発生機構とを備えたので、第１〜第５役物部材４２〜４６を夫々動作させて斬新で且つインパクトのある動作を実現して、演出効果を格段に高めることができる。
【００７８】
第１役物部材４２がベース部材４７に移動自在に装着され、可動役物装置４０は、電動モータ４８の駆動力により第１役物部材４２をベース部材４７に対して動作させるベース動作発生機構５０を備えたので、可動役物４１を待機位置と突出位置とに亙って確実に移動させることができる。
【００７９】
１つの電動モータ４８を共通の動力源として第２〜第５役物部材４３〜４６を動作させるので、可動役物装置４０を小型化できると共に、可動役物装置４０の製作費を低減することができる。
【００８０】
その他、本発明の趣旨を逸脱しない範囲において、種々の変更を付加して実施可能である。例えば、可動役物の形状、サイズ等については適宜変更可能である。また、本発明は、パチンコ遊技機を含む種々の遊技機に搭載される種々の可動役物装置に適用可能である。
【符号の説明】
【００８１】
１              パチンコ遊技機
５、４０        可動役物装置
６、４１        可動役物
７、４２        第１役物部材
８、４３        第２役物部材
９、４４        第３役物部材
１０、４５      第４役物部材
１１、４７      ベース部材
１２、４８      電動モータ
１５、５０      ベース動作発生機構
１６、５１      第１リンク機構
１７、５２      第１動作発生機構
１８、７２      動力伝達機構
１９、５３      第２動作発生機構
２０、５４      第３動作発生機構
２６、７３      連動連結部材
２９、４９ｃ    第３ガイド溝
４６            第５役物部材
５１ａ          交差部
６０ａ、６０ｂ  第１リンク部材
６１ａ、６１ｂ  第２リンク部材
６２            第１軸部材
６３ａ、６３ｂ  第２軸部材
６４ａ、６４ｂ  第３軸部材
６５            第２リンク機構
【図１】
2012239822.tif 000003
【図２】
2012239822.tif 000004
【図３】
2012239822.tif 000005
【図４】
2012239822.tif 000006
【図５】
2012239822.tif 000007
【図６】
2012239822.tif 000008